(57)【特許請求の範囲】
【請求項１】
ユーザ端末に対して、服飾品の購入を提案する服飾品購入支援システムであって、
少なくともファッション系統情報が含まれる各服飾品の詳細データ及びイメージ生成用データを格納する服飾品データ記憶部と、
服飾品の情報を掲載する情報媒体の情報媒体名と、該情報媒体に掲載されている服飾品のファッション系統とを関連付けて記憶する媒体情報記憶部と、
前記ユーザ端末から、少なくとも、情報媒体名を含む服飾品選択条件を受け付ける選択条件受付部と、
前記選択された情報媒体名に対応するファッション系統に属する服飾品の中から、所定のカラーコーディネート規則に適合する服飾品データを抽出するコーディネート処理部と、
前記抽出した服飾品を組み合わせたコーディネート案を表したグラフィックイメージを生成し、前記ユーザ端末に対して送信するイメージ生成部と、を備えたこと、
を特徴とする服飾品購入支援システム。
【請求項２】
前記服飾品データ記憶部には、前記各服飾品の詳細データとして、各服飾品を着用する身体部位と、各服飾品の品目情報とが記憶されており、
前記選択条件受付部は、服飾品選択条件として、前記ファッション系統により抽出された服飾品の中から、前記身体部位毎に、一以上の品目の指定を受け付け、
前記コーディネート処理部は、前記ファッション系統により抽出された服飾品データから、前記身体部位毎に指定された品目の服飾品データを抽出し、
前記イメージ生成部は、同一の身体部位について複数指定された品目を、ユーザの指定に従って重ね着した状態のコーディネート案を表したグラフィックイメージを生成すること、
を特徴とする請求項１に記載の服飾品購入支援システム。
【請求項３】
前記選択条件受付部は、前記服飾品データ記憶部に記憶された服飾品データの中から、コーディネート案に含める服飾品の指定を受け付ける機能を有し、
前記イメージ生成部は、前記ユーザにより指定された服飾品及び前記コーディネート処理部によって抽出された服飾品のイメージ生成用データを用いて、前記コーディネート案を表したグラフィックイメージを生成すること、
を特徴とする請求項１又は２に記載の服飾品購入支援システム。
【請求項４】
前記服飾品データ記憶部に、ユーザの所持する服飾品の詳細データ及びイメージ生成用データを登録可能であること、
を特徴とする請求項１乃至３いずれか一に記載の服飾品購入支援システム。
【請求項５】
前記カラーコーディネート規則として、少なくとも、
ユーザが前記身体部位毎に直接的又は間接的にカラーを指定する第１のコーディネート方法と、
ユーザが、ベースカラーと、特定の身体部位に適用する色彩効果を指定する第２のコーディネート方法と、を選択可能であること、
を特徴とする請求項１乃至４いずれか一に記載の服飾品購入支援システム。
【請求項６】
更に、前記ユーザ端末に対し、ユーザが予め入力したスケジュールに従って、予め作成したコーディネート案を配信する手段を備えたこと、
を特徴とする請求項１乃至５いずれか一に記載の服飾品購入支援システム。
【請求項７】
更に、作成したコーディネート案を、日付とともに保存する手段を備えたこと、
を特徴とする請求項１乃至６いずれか一に記載の服飾品購入支援システム。
【請求項８】
前記服飾品データ記憶部には、各服飾品の購入可能店舗情報が記憶されており、
更に、前記提示したコーディネート案に含まれる服飾品の購入可能店舗リストを配信する店舗検索部を備えたこと、
を特徴とする請求項１乃至６いずれか一に記載の服飾品購入支援システム。
【請求項９】
前記服飾品データ記憶部には、各服飾品の注文方法情報が記憶されており、
更に、前記提示したコーディネート案に含まれる服飾品の一括発注又は個別発注を受け付けるコマース制御部を備えたこと、
を特徴とする請求項１乃至７いずれか一に記載の服飾品購入支援システム。
【請求項１０】
少なくともファッション系統情報が含まれる各服飾品の詳細データ及びイメージ生成用データを格納する服飾品データ記憶部と、
服飾品の情報を掲載する情報媒体の情報媒体名と、該情報媒体に掲載されている服飾品のファッション系統とを関連付けて記憶する媒体情報記憶部と、
前記ユーザ端末から、少なくとも、情報媒体名を含む服飾品選択条件を受け付ける選択条件受付部と、
前記選択された情報媒体名に対応するファッション系統に属する服飾品の中から、所定のカラーコーディネート規則に適合する服飾品データを抽出するコーディネート処理部と、
前記抽出した服飾品を組み合わせたコーディネート案を表したグラフィックイメージを生成し、前記ユーザ端末に対して送信するイメージ生成部と、を備えたこと、
を特徴とする服飾品購入支援サーバ。
【請求項１１】
少なくともファッション系統情報が含まれる各服飾品の詳細データ及びイメージ生成用データを格納する服飾品データ記憶部と、服飾品の情報を掲載する情報媒体の情報媒体名と、該情報媒体に掲載されている服飾品のファッション系統とを関連付けて記憶する媒体情報記憶部と、を備えるコンピュータを用いて、ユーザ端末に対して、服飾品の購入を提案する服飾品購入支援方法であって、
前記コンピュータが、ユーザ端末から、少なくとも、情報媒体名を含む服飾品選択条件を受け付けるステップと、
前記コンピュータが、前記選択された情報媒体名に対応するファッション系統に属する服飾品の中から、所定のカラーコーディネート規則に適合する服飾品データを抽出するステップと、
前記コンピュータが、前記抽出した服飾品を組み合わせたコーディネート案を表したグラフィックイメージを生成し、前記服飾品データとともに、前記ユーザ端末に対して送信するステップと、を含むこと、
を特徴とする服飾品購入支援方法。
【請求項１２】
少なくともファッション系統情報が含まれる各服飾品の詳細データ及びイメージ生成用データを格納する服飾品データ記憶部と、服飾品の情報を掲載する情報媒体の情報媒体名と、該情報媒体に掲載されている服飾品のファッション系統とを関連付けて記憶する媒体情報記憶部と、を備えるコンピュータに実行させるコンピュータプログラムであって、
ユーザ端末から、少なくとも、情報媒体名を含む服飾品選択条件を受け付ける処理と、
前記選択された情報媒体名に対応するファッション系統に属する服飾品の中から、所定のカラーコーディネート規則に適合する服飾品データを抽出する処理と、
前記抽出した服飾品を組み合わせたコーディネート案を表したグラフィックイメージを生成し、前記服飾品データとともに、前記ユーザ端末に対して送信する処理と、を前記コンピュータに実行させるコンピュータプログラム。
【発明の詳細な説明】
【技術分野】
【０００１】
本発明は、服飾品購入支援システム、サーバ、服飾品購入支援方法及びプログラムに関し、特に、コーディネートされた服飾品の購入を提案できる服飾品購入支援システム、サーバ、服飾品購入支援方法及びプログラムに関する。
【背景技術】
【０００２】
特開２００２−２８８４８２号公報に、ユーザが所持している服飾品や任意のキーワードを入力することで、ユーザが所持する服飾品と、アパレルメーカや販売店、雑誌等から提供されている服飾品とを複合的に組み合わせてコーディネートを検討できる服飾情報管理サーバが開示されている。
【０００３】
上記コーディネートに関しては、いくつかの方法が提案されており、例えば、特開２００６−２４２０３号公報には、個々のファッションアイテムの選択をユーザに委ねるのではなく、ユーザの顔の肌色、髪、顔の造作等から判定したユーザの「印象タイプ」に応じたコーディネート支援情報を提供するコーディネート支援システムが開示されている。また、特開２００６−１１９８３６号公報には、手持の衣類の色に似合う色を提示する着衣コンサルティング方法が開示されている。
【０００４】
特開２００６−１８５０２９号公報には、ユーザが具体的なメーカ名や商品名を覚えていない場合でも、当該商品が掲載された雑誌名等を手掛かりに商品に関する情報を検索し、電子ショッピングまでできるようにした情報処理システムが開示されている。
【０００５】
【特許文献１】特開２００２−２８８４８２号公報
【特許文献２】特開２００６−２４２０３号公報
【特許文献３】特開２００６−１１９８３６号公報
【特許文献４】特開２００６−１８５０２９号公報
【発明の開示】
【発明が解決しようとする課題】
【０００６】
例えば、特許文献１の服飾情報管理サーバによれば、「フェミニン系」、「ストリート系」といったファッション系統を指定することにより、コーディネート候補を絞り込むことができるが、一口に「フェミニン系」といっても、世代や地域によって大きな違いがある。このため、多様なユーザニーズを満たすための膨大なファッションアイテムの中から選択を行いユーザの満足の行くコーディネートにたどり着くまでに時間と労力が掛かってしまうことになる。特に、携帯電話端末等の入出力装置が貧弱な機器を用いる場合は、上記問題点は、より深刻となる。
【０００７】
特許文献２に記載のコーディネート支援システムによれば、ユーザの見た目や印象に適合する商品選択を第一義としており、ユーザの好みのファッション系統から商品を選択することは考えられていない。同様に、特許文献３も全体としての違和感の無いコーディネートを得ることが可能となるが、提示された色が、ユーザの好みのファッション系統にそぐわないことも十分考えられる。
【０００８】
特許文献４に記載の情報処理システムによれば、雑誌名等の情報掲載媒体を指定した商品検索が可能となるが、あくまで、当該情報掲載媒体に掲載された商品の情報が得られるのみであり、ユーザ自身のファッション系統を反映した商品の提案を行うことは不可能である。
【０００９】
本発明は、上記した各事情に鑑みてなされたものであって、その目的とするところは、簡単な操作で満足の行くコーディネートを実現できる服飾品の購入を提案できる服飾品購入支援システム、服飾品購入支援方法及びプログラムを提供することにある。
【課題を解決するための手段】
【００１０】
本発明の第１の視点によれば、ユーザ端末に対して、服飾品の購入を提案する服飾品購入支援システムであって、少なくともファッション系統情報が含まれる各服飾品の詳細データ及びイメージ生成用データを格納する服飾品データ記憶部と、服飾品の情報を掲載する情報媒体名と、該情報媒体に掲載されている服飾品のファッション系統とを関連付けて記憶する媒体情報記憶部と、前記ユーザ端末から、少なくとも、情報媒体名を含む服飾品選択条件を受け付ける選択条件受付部と、前記選択された情報媒体名に対応するファッション系統に属する服飾品の中から、所定のカラーコーディネート規則に適合する服飾品データを抽出するコーディネート処理部と、前記抽出した服飾品を組み合わせたコーディネート案を表したグラフィックイメージを生成し、前記ユーザ端末に対して送信するイメージ生成部と、を備える服飾品購入支援システムが提供される。
【００１１】
本発明の第２の視点によれば、少なくともファッション系統情報が含まれる各服飾品の詳細データ及びイメージ生成用データを格納する服飾品データ記憶部と、服飾品の情報を掲載する情報媒体名と、該情報媒体に掲載されている服飾品のファッション系統とを関連付けて記憶する媒体情報記憶部と、前記ユーザ端末から、少なくとも、情報媒体名を含む服飾品選択条件を受け付ける選択条件受付部と、前記選択された情報媒体名に対応するファッション系統に属する服飾品の中から、所定のカラーコーディネート規則に適合する服飾品データを抽出するコーディネート処理部と、前記抽出した服飾品を組み合わせたコーディネート案を表したグラフィックイメージを生成し、前記ユーザ端末に対して送信するイメージ生成部と、を備える服飾品購入支援サーバが提供される。
【００１２】
本発明の第３の視点によれば、少なくともファッション系統情報が含まれる各服飾品の詳細データ及びイメージ生成用データを格納する服飾品データ記憶部と、服飾品の情報を掲載する情報媒体名と、該情報媒体に掲載されている服飾品のファッション系統とを関連付けて記憶する媒体情報記憶部と、を備えるコンピュータを用いて、ユーザ端末に対して、服飾品の購入を提案する服飾品購入支援方法であって、前記コンピュータが、ユーザ端末から、少なくとも、情報媒体名を含む服飾品選択条件を受け付けるステップと、前記コンピュータが、前記選択された情報媒体名に対応するファッション系統に属する服飾品の中から、所定のカラーコーディネート規則に適合する服飾品データを抽出するステップと、前記コンピュータが、前記抽出した服飾品を組み合わせたコーディネート案を表したグラフィックイメージを生成し、前記服飾品データとともに、前記ユーザ端末に対して送信するステップと、を含む服飾品購入支援方法が提供される。
【００１３】
本発明の第４の視点によれば、少なくともファッション系統情報が含まれる各服飾品の詳細データ及びイメージ生成用データを格納する服飾品データ記憶部と、服飾品の情報を掲載する情報媒体名と、該情報媒体に掲載されている服飾品のファッション系統とを関連付けて記憶する媒体情報記憶部と、を備えるコンピュータに実行させるコンピュータプログラムであって、ユーザ端末から、少なくとも、情報媒体名を含む服飾品選択条件を受け付ける処理と、前記選択された情報媒体名に対応するファッション系統に属する服飾品の中から、所定のカラーコーディネート規則に適合する服飾品データを抽出する処理と、前記抽出した服飾品を組み合わせたコーディネート案を表したグラフィックイメージを生成し、前記服飾品データとともに、前記ユーザ端末に対して送信する処理と、を前記コンピュータに実行させるコンピュータプログラムが提供される。
【発明の効果】
【００１４】
本発明によれば、簡単な操作で、ユーザのファッション系統や購入ニーズを的確に捉えた服飾品の購入を提案することが可能となる。
【発明を実施するための最良の形態】
【００１５】
続いて、本発明を実施するための最良の形態について、図面を参照して詳細に説明する。はじめに、本発明の簡単な構成で実現した本発明の第１の実施例について図面を参照して詳細に説明する。
【００１６】
［第１実施例］
図１は、本発明の第１の実施例に係る服飾品購入支援システムを構成するサーバ（服飾品購入支援サーバ）の構成と、該サーバによるユーザ端末向けの服飾品購入支援サービスの概要を表した図である。
【００１７】
図１を参照すると、服飾品購入支援サーバ１０は、服飾品データ記憶部１１と、雑誌情報記憶部１２と、選択条件受付部１３と、コーディネート処理部１４と、イメージ生成部１５と、を含んで構成されている。
【００１８】
服飾品データ記憶部１１は、提案対象の服飾品を含む各服飾品のコーディネートに用いる詳細データ及びイメージ生成用データを格納する。図２は、服飾品の詳細データの一部を表した図である。服飾品ＩＤが付与された個々の服飾品について、ファッション系統と、コート、ワンピース、パンツ、スカートといった品目と、どのようなカラーが用意されているかを示すカラーＩＤリストや購入可能店舗等が登録された内容となっている。
【００１９】
また、図２には例示されていないが、個々の服飾品には、当該服飾品のコーディネートイメージ（グラフィックイメージ）を生成するためのイメージ生成用データがそれぞれ対応付けて記憶される。また、必要に応じて、個々の服飾品が掲載された雑誌名等の情報媒体名や、店舗やメーカ側からのコメントを登録できるようにしてもよい。また、ユーザが既に購入している服飾品を登録できるようにしてもよい。このようにすれば、特許文献１のように、ユーザが所持する服飾品を利用したコーディネートや購入検討を行うことが可能となる。
【００２０】
雑誌情報記憶部１２は、各種服飾品の情報を掲載する雑誌名と、当該雑誌の掲載商品やコーディネート例等から判別したファッション系統とを関連付けた雑誌−ファッション系統データを記憶する。図３は、雑誌−ファッション系統データの一部を表した図である。各種のファッション雑誌から、ファッション系統を判別することが可能な内容となっている。なお、図３の例では、雑誌とファッション系統とが１対ｎの関係にあるものとしているが、一つの雑誌が複数のファッション系統に属するようにしてもよい。また、図３の例では、情報媒体の代表的なものとして雑誌を取り上げているが、その他、インターネット上の服飾品紹介サイト名や、服飾品を紹介するテレビ番組名、ファッションモデルやタレント名等と、これらのファッション系統との関係を記憶するようにしても良い。
【００２１】
選択条件受付部１３は、ユーザ端末２０から、雑誌名や、後記するコーディネート処理部１４で行うカラーコーディネートの規則等の服飾品選択条件を受け付ける手段である。選択条件受付部１３は、例えば、インターネットを介してアクセスするユーザ端末２０に対し、雑誌情報記憶部１２に収録されている雑誌名や予め用意したコーディネート規則をリスト形式で表示し選択可能とする服飾品選択条件入力画面を構成するＷｅｂコンテンツを表示し、服飾品選択条件を受け付ける構成とすることができる。なお、雑誌タイトルが多い場合には、雑誌情報記憶部１２に収録する雑誌−ファッション系統データに、主たる後続ユーザの属性（性別、年代等）を登録しておくことにより、ユーザの属性によって、提示する雑誌名を絞り込んだり、リスト上の表示順位を変更することも可能である。
【００２２】
コーディネート処理部１４は、雑誌情報記憶部１２を参照し、選択条件受付部１３にて受け付けた雑誌名から、当該ユーザのファッション系統を判定する。次にコーディネート処理部１４は、服飾品データ記憶部１１を参照し、前記判定ファッション系統に属する服飾品データを抽出する。更に、コーディネート処理部１４は、抽出した服飾品データを対象に、選択条件受付部１３にて受け付けたカラーコーディネート規則に従い、当該規則に適合するカラーＩＤを持つ服飾品データを抽出し、ユーザ端末２０に送信する。カラーコーディネート規則としては、後記第２実施例で詳述するが、例えば、各ユーザがそれぞれ選択した自らのファッションのコンセプトやキーワードに対応するカラーＩＤを持つ服飾品のみを抽出したり、指定されたベースカラーに該当するカラーＩＤを持つ服飾品や、ベースカラーに対して一定の色彩効果が表れるカラーＩＤを持つ服飾品を抽出することなどが考えられる。
【００２３】
イメージ生成部１５は、ユーザ端末２０との対話的処理を介して、コーディネート処理部１４により抽出された服飾品の中から、ユーザより選択された服飾品のコーディネートイメージを生成し、ユーザ端末２０に送信する。より具体的には、イメージ生成部１５は、服飾品データ記憶部１１に格納されたイメージ生成用データを用いて、選択された服飾品を組み合わせ、グラフィックイメージを生成し、ユーザ端末２０に送信する。
【００２４】
なお、ユーザ端末２０としては、ブラウザを備えた各種の情報処理装置を用いることが可能である。特に、服飾品購入支援サーバ１０には、携帯電話機、ＰＤＡ（Personal  Digital  Assistant）等からもアクセスしやすいユーザインタフェースを備えさせることが好ましい。これにより、外出した際などの必要なときに、服飾品に関する情報サービスを快適に受けられるようになる。
【００２５】
続いて、本実施例に係る服飾品購入支援サーバ１０の動作について、再度図１〜図３を参照して説明する。まず、ユーザが、ユーザ端末２０を用いて、服飾品購入支援サーバ１０にアクセスし、選択条件受付部１３によって提供される服飾品選択条件入力画面に、服飾品選択条件を送信する。
【００２６】
ここでは、ユーザ端末２０のユーザが、例えば、雑誌名「ＪＪＪ」と、コーディネート規則『ベースカラー＝「青」』を入力・送信したものとする（図１の下段左側吹き出し参照）。
【００２７】
前記服飾品選択条件を受け取った服飾品購入支援サーバ１０のコーディネート処理部１４は、図３に例示した雑誌情報記憶部１２を参照し、雑誌名「ＪＪＪ」に対応するファッション系統により、ユーザのファッション系統は「お姉系」であると判定する。
【００２８】
コーディネート処理部１４は、図２に例示した服飾品データ記憶部１１を参照し、ファッション系統「お姉系」に属し、かつ、ベースカラー＝「青」を有する服飾品データ「コート  ＢＢＢ」、「ワンピース  ＥＥＥ」、「パンプス  ＪＪＪ」を抽出し、ユーザ端末２０に表示する（図１の下段右側吹き出し参照）。
【００２９】
ここで、ユーザが、表示された服飾品データ「コート  ＢＢＢ」、「ワンピース  ＥＥＥ」、「パンプス  ＪＪＪ」の中から、任意の服飾品データ、例えば、「コート  ＢＢＢ」、「ワンピース  ＥＥＥ」を選択し、中のコーディネートボタンをクリックすると、服飾品購入支援サーバ１０のイメージ生成部１５が、これらを組み合わせたコーディネートイメージを生成・送信する。
【００３０】
コーディネートイメージを参照したユーザは、他の服飾品の組み合わせを検討したければ、再度、服飾品データ一覧画面（図１の下段右側吹き出し参照）に戻って、他のコーディネートイメージの作成を試みることもできる。
【００３１】
以上のとおり、本実施例では、好みの雑誌名と、コーディネート規則を指定するだけで、自分の嗜好にあったコーディネートを実現する服飾品に関する情報を得ることが可能となる。特に、本実施例では、雑誌名を手掛かりとして、ファッション系統を判定してから服飾品データを探索する構成としているため、コーディネートの組み合わせ対象とする服飾品を豊富化することが可能となる。このために、従来のように、ある雑誌に関連付けられていないがために、提案リストから洩れてしまうケースや適当でないファッション系統を入力したことによる不適当な服飾品が提案されるケースを防ぐことが可能となる。
【００３２】
［第２実施例］
続いて、上記第１の実施例に各種機能を追加し、より高度な服飾品購入支援サービスを行えるようにした本発明の第２の実施例について説明する。
【００３３】
図４は、本発明の第２の実施例に係る服飾品購入支援システムの全体構成を示した図である。図４を参照すると、ＧＰＳ機能を持つ携帯電話端末等のユーザ端末２０に対して服飾品購入支援サービスを行う服飾品購入支援サービス基盤３００が示されている。
【００３４】
服飾品購入支援サービス基盤３００は、Ｗｅｂサーバ７０と、上記した第１の実施例の選択条件受付部１３、コーディネート処理部１４及びイメージ生成部１５相当の処理を実行する服飾品購入支援サーバ１００と、システムデータベース（システムＤＢ）２００を含んで構成される。また、服飾品購入支援サービス基盤３００は、ＧＰＳ衛星９０や通信網４００上に配置された住所−座標変換サーバ８０、測位機能９１と連携して、ユーザ端末２０の位置に応じたサービスを行うことが可能となっている。
【００３５】
服飾品購入支援サービス基盤３００は、通信網４００上に配置されたゲートウェイ６０を介してインターネット５００に接続し、服飾品の販売等を担う代理店６００ともデータをやり取りすることが可能となっている。
【００３６】
図５は、図４の服飾品購入支援システムに含まれる各装置の内部構成と各部の接続関係を示した図である。ユーザ端末２０は、後記する服飾品購入支援サービス基盤３００から各種サービスを受けるためのアプリケーションプログラムによって実現されるアプリケーション部２２と、ＧＰＳ機能を利用したナビゲーションを行うナビゲーション部２３と、内部装置／外部装置と接続するためのインターフェース部（ＩＦ部）２１とを含んで構成されている。
【００３７】
ユーザ端末２０のＩＦ部２１は、アプリケーション部２２と、ＧＰＳ衛星９０、通信網４００に備えられた測位機能９１のＩＦ部９２と、服飾品購入支援サービス基盤３００のＷｅｂサーバ７０のＩＦ部７２とを接続する。
【００３８】
ユーザ端末２０のアプリケーション部２２は、前記ＩＦ部２１及びナビゲーション部２３と接続され、Ｗｅｂサーバ７０やナビゲーション部２３から送信された内容を表示し、また、ユーザの各種入力内容をナビゲーション部２３やＷｅｂサーバ７０に送信する。
【００３９】
通信網４００の測位機能９１は、内部装置／外部装置と接続するためのＩＦ部９２と、座標補正を行う測位部９３とを含んで構成される。ＩＦ部９２は、測位部９３と接続されるとともに、ＧＰＳ衛星９０と、ユーザ端末２０のＩＦ部２１と接続されている。
【００４０】
Ｗｅｂサーバ７０は、加入者認証機能を持つ認証部７１と、内部装置／外部装置と接続するためのＩＦ部７２と、アプリケーション識別機能を持つアプリケーション識別部７３とを含んで構成される。
【００４１】
Ｗｅｂサーバ７０のＩＦ部７２は、認証部７１及びアプリケーション識別部７３と、ユーザ端末２０のＩＦ部２１と、ゲートウェイ６０のＩＦ部６１と、住所−座標変換サーバ８０のＩＦ部８１と、服飾品購入支援サーバ１００のＩＦ部１０１とを接続する。
【００４２】
服飾品購入支援サーバ１００は、アプリケーション制御機能を持つアプリケーション制御部１１０と、ユーザ端末２０からのモバイル購入要求に応えるためのモバイルコマース制御機能を持つモバイルコマース制御部１１１と、２つの座標情報間の距離算出機能を持つ距離算出部１１２と、距離算出結果等を基に最寄りの店舗を検索する店舗検索部１１３と、コーディネート制御機能を持つコーディネート処理部１１４と、３次元オブジェクトデータ変換機能・フォトレタッチ機能を持つイメージ生成部１１５と、コーディネート情報を用いたスケジューリング機能を提供するスケジューラ制御部１１６と、内部装置／外部装置と接続するためのＩＦ部１０１と、を含んで構成される。
【００４３】
服飾品購入支援サーバ１００のＩＦ部１０１は、Ｗｅｂサーバ７０のＩＦ部７２と、システムＤＢ２００のＩＦ部２０１と、服飾品購入支援サーバ１００の各部（アプリケーション制御部１１０〜スケジューラ制御部１１６）とを接続する。
【００４４】
システムＤＢ２００は、加入者情報を管理する個人情報管理部２１０と、服飾品データを一元管理する服飾品データ記憶部２１１と、雑誌とファッション系統との対応関係を管理する雑誌情報記憶部２１２と、販売店舗情報を管理する店舗情報管理部２１３と、各路線別の駅毎の住所情報を管理する路線情報管理部２１４と、印象・感情資質／カラーセレクト情報を管理するコーディネートＤＢ２１５と、服飾品データ記憶部２１１からの抽出結果やコーディネートした結果を一次的に格納する服飾品データ一時格納ＤＢ２１８と、内部装置／外部装置と接続するためのＩＦ部２０１とを含んで構成される。
【００４５】
システムＤＢ２００のＩＦ部２０１は、服飾品購入支援サーバ１００のＩＦ部１０１と、システムＤＢ２００の各部（個人情報管理部２１０〜服飾品データ一次格納ＤＢ２１８）とを接続する。
【００４６】
コーディネートＤＢ２１５は、印象・感情資質と色の関係を管理する印象・感情資質ＤＢ２１６と、後記する色彩効果の観点での色の選択（カラーセレクト）に用いる情報を格納するカラーセレクトＤＢ２１７とを含んで構成される。
【００４７】
住所−座標変換サーバ８０は、内部装置／外部装置と接続するためのＩＦ部８１と、住所毎の座標情報を管理する地図情報管理部８２と、を含んで構成される。住所−座標変換サーバ８０のＩＦ部８１は、地図情報管理部８２と、Ｗｅｂサーバ７０のＩＦ部７２とを接続する。
【００４８】
ゲートウェイ６０は、内部装置／外部装置と接続するためのＩＦ部６１を含んで構成され、ＩＦ部６１は、Ｗｅｂサーバ７０のＩＦ部７２と、代理店（の業務端末）６００とを接続する。
【００４９】
続いて、上記本発明の第２の実施例の動作について図面を参照して詳細に説明する。図６は、本発明の第２の実施例に係る服飾品購入支援システムによって提供される一連のサービスの流れを表したフローチャートである。
【００５０】
服飾品購入支援サービスを受けようとするユーザはまずユーザ登録を行う必要がある。そこでまずユーザは、ユーザ端末２０を用いて、加入者登録処理を行う（ステップＳ００１）。
【００５１】
＜１．加入者登録処理＞
ユーザがユーザ端末２０のアプリケーション部２２を起動すると、その初回起動時に、アプリケーション部２２が、ユーザ端末２０の画面に「加入者情報（端末識別子のほか、住所、氏名、年齢、性別、スリーサイズ等を任意に入力する）」の入力画面を表示する。
【００５２】
「加入者情報」の入力が完了すると、ユーザ端末２０のアプリケーション部２２は、ユーザ端末２０を特定するために予め付与された「サービス識別子」と、「登録依頼符号（＝１）」と、「加入者情報」とを、Ｗｅｂサーバ７０の認証部７１に送信する。
【００５３】
前記「サービス識別子」、「登録依頼符号（＝１）」及び「加入者情報」を受信したＷｅｂサーバ７０の認証部７１は、「サービス識別子」を基に、服飾品購入支援サーバ１００へのアクセスが認められている端末であるか否かを識別する。ここで、服飾品購入支援サーバ１００へのアクセスが認められている端末であることを識別できた場合、認証部７１は、服飾品購入支援サーバ１００のアプリケーション制御部１１０に対して、「加入者情報」と「登録依頼符号」とを送信する。なお、「登録依頼符号」が０である場合、Ｗｅｂサーバ７０の認証部７１は、受信した情報を破棄し、処理を終了する。
【００５４】
前記「加入者情報」と「登録依頼符号」とを受信した服飾品購入支援サーバ１００のアプリケーション制御部１１０は、システムＤＢ２００の個人情報管理部２１０に「加入者情報」を登録する。「加入者情報」の登録が完了すると、アプリケーション制御部１１０は、ユーザ端末２０のアプリケーション部２２に対して「登録完了通知」を送信する。
【００５５】
「登録完了通知」を受信したユーザ端末２０のアプリケーション部２２は、ユーザ端末２０の画面上に「正常に加入者登録が完了」の旨を表示する。以上により、加入者登録処理は完了する。なお、加入者登録済みのユーザは、次回以降、以上の加入者登録処理を省略することが可能となる。
【００５６】
次に、ユーザは、ユーザ端末２０を用いて、服飾品購入支援サーバ１００よりユーザ認証を要求する（ステップＳ００２）。
【００５７】
＜２．認証処理＞
加入者登録が済んだユーザ端末２０は、続いて、Ｗｅｂサーバ７０の認証部７１に対して、「認証要求」と「サービス識別子」を送信する。
【００５８】
Ｗｅｂサーバ７０の認証部７１は、「サービス識別子」を基に、服飾品購入支援サーバ１００へのアクセスが認められている端末であるか否かを識別する。ここで、服飾品購入支援サーバ１００へのアクセスが認められている端末であることを識別できた場合、認証部７１は、服飾品購入支援サーバ１００のアプリケーション制御部１１０に対して、「認証要求」を送信する。
【００５９】
服飾品購入支援サーバ１００のアプリケーション制御部１１０は、個人情報管理部２１０の加入者情報と、「認証要求」中に含まれる端末識別子を基に、加入者照合処理を行い、一致した場合には、ユーザ端末２０のアプリケーション部２２に対して「認証完了通知」を送信する。一方、個人情報管理部２１０に該当する加入者情報が無かった場合は、アプリケーション制御部１１０は、ユーザ端末２０のアプリケーション部２２に対して「認証失敗通知」を送信する。
【００６０】
「認証完了通知」を受信したユーザ端末２０のアプリケーション部２２は、服飾品購入支援サービスの動作モード選択画面を表示する（ステップＳ００３へ）。一方、「認証失敗通知」を受信したユーザ端末２０のアプリケーション部２２は、ユーザ端末２０の画面上に「加入者登録」をすべき旨のメッセージ等を表示し、加入者登録処理へ戻る。
【００６１】
＜３．モード選択処理＞
ステップＳ００２の認証が完了すると、ユーザ端末２０のアプリケーション部２２は、画面上にモード選択画面を表示する。このモード選択画面は、「アイテム登録モード」／「スケジューラモード」／「コーディネートモード」より希望する処理モードを選択することが可能となっている。
【００６２】
以下、ユーザが選択する「アイテム登録モード」、「スケジューラモード」、「コーディネートモード」について、説明する。
【００６３】
＜４．アイテム登録モード＞
アイテム登録モードは、後記するコーディネートにおける組み合わせ対象とする服飾品（所持アイテム）を登録するモードである。これにより、例えば、ユーザは、所持する服飾品を用いたコーディネート結果を得ることが可能となる。
【００６４】
アイテム登録モードで、ユーザが、ユーザ端末２０の画面上で登録したい衣類の品目（種別）、品名、色（カラーＩＤ）を入力すると、入力内容は、服飾品購入支援サーバ１００のアプリケーション制御部１１０に送信される。
【００６５】
ユーザ端末２０より登録したい服飾品（所持アイテム）のデータを受信したアプリケーション制御部１１０は、服飾品データ記憶部２１１に、受信した服飾品（所持アイテム）のデータを登録する。この際に、アプリケーション制御部１１０は、受信した服飾品（所持アイテム）のデータと同一の服飾品が服飾品データ記憶部２１１に登録済みであるか否かを確認する。前記確認の結果、同一の服飾品が登録済みである場合には、図７に例示する服飾品の詳細データ及び３次元オブジェクトデータを複製して、ユーザが所持する服飾品（所持アイテム）のデータを作成し、服飾品データ記憶部２１１に追加する。なお、これらのデータを登録する際に、ユーザが所持する服飾品を既存の服飾品と区別できるような服飾品ＩＤや所持区分情報を持たせるようにすることが望ましい。
【００６６】
一方、ユーザ端末２０より受信した服飾品（所持アイテム）のデータと同一の服飾品（アイテム）が服飾品データ記憶部２１１に登録されていない場合は、服飾品購入支援サーバ１００のアプリケーション制御部１１０は、前記受信内容に基づいて、服飾品データ記憶部２１１に新規服飾品の詳細データを追加登録し、更に、ユーザ端末２０のアプリケーション部２２に対して、当該服飾品の画像の送信を要求する。
【００６７】
服飾品の画像の送信を要求されたユーザ端末２０のアプリケーション部２２は、その旨を画面上に表示する。ここで、ユーザが別途撮影した画像を選択し送信操作を行うと、ユーザ端末２０のアプリケーション部２２は、服飾品購入支援サーバ１００のアプリケーション制御部１１０に対して該画像データを送信する。
【００６８】
ユーザ端末２０より登録したい服飾品（所持アイテム）の画像データを受信したアプリケーション制御部１１０は、イメージ生成部１１５のフォトレタッチ機能等を利用して、受信した画像を基に３次元オブジェクトデータを作成し、イメージ生成用データとして服飾品データ記憶部２１１に登録する。
【００６９】
ユーザ端末２０のアプリケーション部２２は、ユーザが継続して服飾品（アイテム）のデータの登録を希望するか否かを確認し、他にも登録したい服飾品（アイテム）がある場合、上記した手順を繰り返す。また、ユーザ端末２０のアプリケーション部２２は、ステップＳ００３のモード選択画面に戻る旨や、ユーザ端末２０の操作を終了する旨の指示を受け付ける。
【００７０】
＜５．スケジューラモード＞
スケジューラモードは、後記するコーディネート機能により提案された服飾品データをユーザが予め設定したスケジュールに従い、表示する動作モードである。本機能を利用することにより、ユーザは、ショッピング中に迷うことなく目的とする服を購入することが可能となる。また、前記アイテム登録モードにより、ユーザが所持する服を登録しておくことで、後記コーディネート機能により手持の服のみでのコーディネートの提案を受け、その内容を本スケジューラ機能により必要なときに表示することも可能となる。以下、図８のフローチャートを参照してスケジューラモードにおける処理の流れについて説明する。
【００７１】
ステップＳ００３で、ユーザが「スケジューラモード」を選択すると、ユーザ端末２０のアプリケーション部２２は、「スケジュール確認」又は「スケジューラ登録」のいずれを行うかを受け付け、服飾品購入支援サーバ１００のスケジューラ制御部１１６にその結果を送信する（ステップＳ０５１）。
【００７２】
「スケジュール登録」が選択された場合、ユーザ端末２０のアプリケーション部２２は、画面上に、スケジュール登録・編集・削除画面を表示する。ここで、例えば、登録したい「日付」、「アラーム時間」、「表示データ」、「コメント」の入力・選択が行われると、アプリケーション部２２は、スケジューラ制御部１１６に対して、前記各入力内容を送信する。スケジューラ制御部１１６は、受信した「日付」、「アラーム時間」、「表示データ」、「コメント」を図９に例示するスケジュール情報として登録する（ステップＳ０５２）。
【００７３】
一方、「スケジュール確認」が選択された場合、服飾品購入支援サーバ１００のスケジューラ制御部１１６は、システムＤＢ２００の個人情報管理部２１０からスケジュール情報を取り出し、アプリケーション部２２に送信する。スケジュール情報を受信したユーザ端末２０のアプリケーション部２２は、コーディネートスケジュールを画面上に表示する（ステップＳ０５３）。
【００７４】
その後、設定された日付、アラーム時間が到来すると、服飾品購入支援サーバ１００のスケジューラ制御部１１６は、ユーザ端末２０に対して、表示データとして設定された内容（コーディネート画像、服飾品データ一覧）を送信する。ユーザ端末２０は、送信された内容（コーディネートイメージ（後記「合成画像」）、服飾品データ一覧）をその画面に表示し、又は、メモリ等に保存する。スケジューラ制御部１１６からユーザ端末２０へのデータを送信する方法としては特に限定するものではないが、例えば、電子メールシステムを好適に使用することができる。
【００７５】
＜６．コーディネートモード＞
続いて、図６のステップＳ００３で「コーディネートモード」が選択された場合の処理の流れについて説明する。
【００７６】
図６のステップＳ００３で、ユーザが「コーディネートモード」を選択すると、ユーザ端末２０のアプリケーション部２２は、服飾品購入支援サーバ１００のコーディネート処理部１１４に対して「コーディネート要求」と「加入者識別子」とを送信する。
【００７７】
「コーディネート要求」を受信した服飾品購入支援サーバ１００のコーディネート処理部１１４は、個人情報管理部２１０より「加入者識別子」と一致する加入者を探索し、一致した加入者の「年齢」を確認する（ステップＳ００６）。
【００７８】
コーディネート処理部１１４は、雑誌情報記憶部２１２に格納された図１０に例示する年代別ファッション系統データベースを参照し、ユーザの「年齢」に応じた（ファッション）系統ＩＤを抽出した後、更に、図１１に例示する雑誌−ファッション系統データを参照して、次のステップＳ００８でユーザに提示する雑誌一覧を絞り込む（ステップＳ００７）。例えば、ユーザの年齢が１６歳であった場合、ファッション系統としては、図１０の「ティーンズ」（系統ＩＤ＝００２）、「ストリート・裏原宿系」（系統ＩＤ＝００３）、「ギャル系」（系統ＩＤ＝００４）に絞り込まれる。
【００７９】
コーディネート処理部１１４は、ユーザ端末２０のアプリケーション部２２に対して、ステップＳ００７で絞り込んだ雑誌一覧を送信し、コーディネートの際にユーザのファッション系統を象徴する雑誌名の選択を受け付ける（ステップＳ００８）。例えば、ステップＳ００７で系統ＩＤとして００２〜００４が絞り込まれている場合、ユーザに送信される雑誌一覧は、図１１の雑誌名「ＥＥＥ」〜「ＪＪＪ」となる。
【００８０】
ステップＳ００８で、ユーザが「雑誌名」を選択すると、ユーザ端末２０のアプリケーション部２２は、服飾品購入支援サーバ１００のコーディネート処理部１１４に対して、選択された雑誌名に対応する「雑誌ＩＤ」を送信する。
【００８１】
ユーザ端末２０より「雑誌ＩＤ」を受信した服飾品購入支援サーバ１００のコーディネート処理部１１４は、図１１に例示する雑誌−ファッション系統データを参照して、「雑誌ＩＤ」に対応する（ファッション）系統ＩＤを求める。次に、コーディネート処理部１１４は、服飾品データ記憶部２１１から、前記（ファッション）系統ＩＤが付与された服飾品データを抽出し、服飾品データ一時格納ＤＢ２１８に格納する。図１２は、図１１の雑誌「ＦＦＦ」が選択された結果、図７に例示した服飾品データから、（ファッション）系統ＩＤ＝００３を持つ服飾品データのみが抽出された状態を表している。例えば、図７の服飾品ＩＤ＝００２の「コート  ＢＢＢ」や服飾品ＩＤ＝００３の「ワンピース  ＣＣＣ」は、系統ＩＤ＝００３が付与されていないことにより対象外となったことになる。
【００８２】
次に、コーディネート処理部１１４は、服飾品データ一時格納ＤＢ２１８に格納された服飾品データの「対応部位（当該服飾品を着用する身体部位）」と「品目」から「部位・分類リスト」を生成し、ユーザ端末２０のアプリケーション部２２に対して送信し、コーディネートの際に組み合わせ対照とする品目の選択を受け付ける（ステップＳ００９）。図１３は、服飾品データ一時格納ＤＢ２１８に格納された服飾品データから抽出された「部位・分類リスト」の例である。図１３の例では、「対応部位」が「上半身」の「品目」として、「品目１」及び「品目７」が抽出されたことを表している。これは、品目２にカテゴリーされるワンピースの服飾品データが、系統ＩＤ＝００３による抽出の結果、服飾品データ一時格納ＤＢ２１８に無かったことを表している。
【００８３】
ステップＳ００９で、ユーザが対応部位毎に、少なくとも一つの品目（重ね着の場合は複数の品目を選択可能であり、選択順に重ね着をするものとしてコーディネートされる。また、帽子、アクセサリ、手袋を着用する頭部、首部、手（首）部等は「なし」を選択可とする。）を選択すると、ユーザ端末２０のアプリケーション部２２は、服飾品購入支援サーバ１００のコーディネート処理部１１４に対して、選択された対応部位毎の品目を送信する（ステップＳ０１０）。また、品目の選択順を重ね着順序とするのではなく、例えば、部位１［上半身１］＝品目１（コート）、部位２［上半身２］＝品目２（ワンピース）、部位３［下半身１］＝品目４（スカート）というように、部位「上着＃」の数字部分（＃）で重ね着時の着用順（数字が大きい品目を先に着用する）を指定できるようにしてもよい。
【００８４】
また、この品目選択時に、アイテム登録モードで登録したユーザが所持する服飾品（所持アイテム）をコーディネート対象に加えることもできる。このようにすれば、ユーザは持ち服に合う服飾品を選択することや、持ち服を主体とするコーディネート案を得ることが可能となる。
【００８５】
ユーザ端末２０より対応部位毎の品目を受信した服飾品購入支援サーバ１００のコーディネート処理部１１４は、服飾品データ一時格納ＤＢ２１８から、選択された品目の服飾品データを抽出し、服飾品データ一時格納ＤＢ２１８に格納する（ステップＳ０１１）。図１４は、図１２に示した服飾品データ一時格納ＤＢ２１８に記憶された服飾品データから更に、ユーザより選択された品目（品目７、品目３）の服飾品データが抽出された状態を表している。例えば、図１２で系統ＩＤ＝００３に属するとして抽出されていた服飾品ＩＤ＝００１の「コート  ＡＡＡ」は、品目＝３、７に該当しないことにより対象外となったことになる。
【００８６】
上記品目による絞込みが完了すると、コーディネート処理部１１４は、ユーザ端末２０のアプリケーション部２２に対して、カラーコーディネート選択メニューを送信し、「印象・感情資質」によるコーディネート又は「色相環効果」によるコーディネートのいずれか一方を選択させる（ステップＳ０１２）。
【００８７】
＜６−１．カラーコーディネート処理（印象・感情資質）＞
ステップＳ０１２で、「印象・感情資質」によるコーディネートが選択された場合、服飾品購入支援サーバ１００のコーディネート処理部１１４は、システムＤＢ２００のコーディネートＤＢ２１５中の印象・感情資質ＤＢ２１６（図１５参照）の「資質」欄中のデータより「資質一覧」を作成し、ユーザ端末２０のアプリケーション部２２に対して送信する。図１５は、印象・感情資質ＤＢ２１６に格納されたカラー−資質データの例である。
【００８８】
上記「資質一覧」を受信したユーザ端末２０のアプリケーション部２２はその画面上に「資質一覧」を表示し、ユーザから対応部位毎に「資質」の選択を受け付ける。ユーザが対応部位毎の「資質」の選択を完了すると、ユーザ端末２０のアプリケーション部２２は、服飾品購入支援サーバ１００のコーディネート処理部１１４に対して、対応部位毎に選択された「資質」を送信する。
【００８９】
ユーザ端末２０より対応部位毎の「資質」を受信した服飾品購入支援サーバ１００のコーディネート処理部１１４は、服飾品データ一時格納ＤＢ２１８から、対応部位毎に選択された「資質」に対応付けられたカラーＩＤを持つ服飾品データを抽出し、ユーザ端末２０のアプリケーション部２２に対して送信する（ステップＳ０１３）。図１６は、図１４に示した服飾品データ一時格納ＤＢ２１８に記憶された服飾品データから更に、部位：上半身について、「清潔、クール、新鮮、純粋、清々しさ」が選択され、部位：下半身について、「高級感、フォーマル、シック、洒落た」が選択された結果、カラーＩＤ＝１、カラーＩＤ＝３を持つ服飾品データのみに絞り込まれた状態を表している。
【００９０】
上記服飾品データを受信したユーザ端末２０のアプリケーション部２２はその画面上に「服飾品一覧」を表示する（ステップＳ０１４）。
【００９１】
なお、上記した説明では、ユーザが「資質」を指定するものとして説明したが、ユーザがカラーを直接指定することとしてもよい。また、「資質」に限らずその他間接的にカラーを指定する方法も採用することができる。
【００９２】
＜６−２．カラーコーディネート処理（色相環効果）＞
一方、ステップＳ０１２で、「色相環効果」によるコーディネートが選択された場合、服飾品購入支援サーバ１００のコーディネート処理部１１４は、システムＤＢ２００のコーディネートＤＢ２１５中のカラーセレクトＤＢ２１７（図１７参照）の色相環効果データを送信する。図１７は、カラーセレクトＤＢ２１７に格納された色相環効果データの例である。
【００９３】
上記色相環効果データを受信したユーザ端末２０のアプリケーション部２２はその画面上に色相環効果選択画面を表示し、ユーザから「ベースカラー（Ｎ値）」を適用する「対応部位」と、「類似効果」、「反対色相」、「アクセント」といった「色彩効果」を適用する「対応部位」との入力を受け付ける。ユーザが、「ベースカラー（Ｎ値）」を適用する「対応部位」と、「類似効果」、「反対色相」、「アクセント」といった「色彩効果」を適用する「対応部位」との入力を完了すると、ユーザ端末２０のアプリケーション部２２は、服飾品購入支援サーバ１００のコーディネート処理部１１４に対して、対応部位毎に「ベースカラー（Ｎ値）」や選択された「色彩効果（類似効果／反対色相／アクセント）」を送信する。
【００９４】
ユーザ端末２０より対応部位毎に「ベースカラー（Ｎ値）」や選択された「色彩効果（類似効果／反対色相／アクセント）」を受信した服飾品購入支援サーバ１００のコーディネート処理部１１４は、服飾品データ一時格納ＤＢ２１８から、「ベースカラー（Ｎ値）」が選択された対応部位については、当該ベースカラーＩＤを持つ服飾品データを抽出し、更に、「色彩効果」が選択された対応部位については、例えば次式により、色彩効果ＩＤ（Ｍ値）を算出し、Ｍ値に該当するベースカラーＩＤを持つ服飾品データを抽出する。
【００９５】
（１）色彩効果＝類似効果の時、
Ｎ−２≦Ｍ≦Ｎ＋２
例えば、ベースカラーＩＤとして、「緑」が選択されている場合、類似効果を持つカラー（Ｍ値）として、図１７のベースカラーＩＤ＝１〜５の色が選択される。これは、色相環の隣接配色を選択する処理に相当する。
（２）色彩効果（Ｍ値）＝反対色相の時、
Ｎ＋５≦Ｍ≦Ｎ＋７
例えば、ベースカラーＩＤとして、「緑」が選択されている場合、反対色相を持つカラー（Ｍ値）として、図１７のベースカラーＩＤ＝８〜１０の色が選択される。これは、色相環の１８０の位置にある色とその隣接配色を選択する処理に相当する。
（３）色彩効果（Ｍ値）＝アクセントの時、
Ｍ＝Ｎ＋６
例えば、ベースカラーＩＤとして、「緑」が選択されている場合、アクセントとなるカラー（Ｍ値）として、図１７のベースカラーＩＤ＝９の色（赤紫）が選択される。これは、色相環の１８０の位置にある色を選択する処理に相当する。
【００９６】
なお、図１７の例では、説明の簡単のため１２色の色相環を用いて説明したが、より細かく区分された色相環においても同様の原理にて適用することができる。また、上記した例では、色彩効果として、「類似効果」、「反対色相」、「アクセント」を選択できるものとして説明したが、その他３色調和（色相環上の１２０°の位置にある色の選択）、有彩色と無彩色の組み合わせにより２色調和等の公知のコーディネート規則を選択できるようにしてもよい。
【００９７】
服飾品購入支援サーバ１００のコーディネート処理部１１４は、上記のようにして抽出した服飾品データを、ユーザ端末２０のアプリケーション部２２に対して送信する（ステップＳ０１５）。図１８は、図１４に示した服飾品データ一時格納ＤＢ２１８に記憶された服飾品データから更に、部位：上半身について、ベースカラー（Ｎ値）が選択され、部位：下半身について、色彩効果が選択されＭ値による絞り込みが行われた状態を表している。
【００９８】
上記服飾品データを受信したユーザ端末２０のアプリケーション部２２はその画面上に「服飾品一覧」を表示する（ステップＳ０１６）。
【００９９】
＜７．コーディネート処理（イメージ生成処理）＞
ユーザ端末２０のアプリケーション部２２は、ユーザから、ステップＳ０１４又はＳ０１６で表示した服飾品データ一覧から、イメージ生成処理の対象とする服飾品の選択を受け付ける。イメージ生成処理の対象とする服飾品の選択が完了すると、ユーザ端末２０のアプリケーション部２２は、服飾品購入支援サーバ１００のイメージ生成部１１５に対して、対応部位毎に選択された服飾品を通知する。
【０１００】
前記通知を受けた服飾品購入支援サーバ１００のイメージ生成部１１５は、服飾品データ記憶部２１１から、選択された服飾品データの「３次元オブジェクトデータ」を取り出し、３次元ソフトウェアで合成し、「合成画像」（コーディネートイメージ）を作成し、ユーザ端末２０のアプリケーション部２２に対して送信する（ステップＳ０１７）。
【０１０１】
例えば、ユーザが、部位１［上半身１］＝品目１（コート）、部位２［上半身２］＝品目２（ワンピース）、部位３［下半身１］＝品目４（スカート）というように、部位「上着＃」の数字部分（＃）で重ね着時の着用順（数字が大きい品目を先に着用する）を指定した場合、上半身については当該ルールに従って、ワンピースの画像の上にコートの画像が重ね合わさって表示される。
【０１０２】
また、生成されたコーディネートイメージで満足が得られない場合には、適宜、服飾品データの選択処理に戻って、「合成画像」（コーディネートイメージ）を作成し直すことができるものとする。更には、服飾品データの選択をやり直せるように、ユーザの選択により、ステップＳ００８（雑誌選択）、ステップＳ０１０（品目選択）、ステップＳ０１２（カラーコーディネート方法選択）に戻れるようにしても良い。例えば、画面上にパレットを表示させておき、希望するパレットを選択することで、選択されたカラーＩＤやベースカラーＩＤでコーディネートを変更できるようにしてもよい。
【０１０３】
上記「合成画像」（コーディネートイメージ）を受信したユーザ端末２０のアプリケーション部２２はその画面上に「合成画像」（コーディネートイメージ）を表示し、服飾品データや「合成画像」（コーディネートイメージ）を保存するか否かを受け付ける（ステップＳ０１８）。
【０１０４】
ステップＳ０１８で、データの保存が選択された場合、ユーザ端末２０のアプリケーション部２２は、服飾品購入支援サーバ１００のアプリケーション制御部１１０に対しデータ保存を指示する（ステップＳ０１９）。以後、保存された服飾品データや「合成画像」（コーディネートイメージ）は、前述したスケージュールモードにて「表示データ」として選択することが可能となる。また、服飾品データや「合成画像」（コーディネートイメージ）を日付情報やユーザのコメントとともに保存する機能を備えることで、簡易なアルバムやブログ（Ｗｅｂｌｏｇ）データの作成を行うことができる。このようにすれば、特定の日に着用したコーディネートや、ある服飾品を購入した際に参考になったコーディネート案を記録する手間が省力化される。
【０１０５】
次に、ユーザ端末２０のアプリケーション部２２は、表示された「合成画像」（コーディネートイメージ）に表された商品を購入するか否かを確認するメッセージを表示する（ステップＳ０２０）。
【０１０６】
＜８−１．モバイル購入（モバイルコマース）＞
ステップＳ０２０で、「モバイル購入」するが選択された場合、ユーザ端末２０のアプリケーション部２２は、ユーザより購入する服飾品の選択を受け付け、服飾品購入支援サーバ１００のモバイルコマース制御部１１１に選択された服飾品の服飾品ＩＤを送信する。
【０１０７】
ユーザ端末２０より服飾品ＩＤを受信したモバイルコマース制御部１１１は、個人情報管理部２１０より「加入者情報」を取り出し、代理店６００へ服飾品ＩＤ（あるいは、服飾品ＩＤに対応する品名情報）と「加入者情報」とを送信する。以降の処理は、通常のモバイルコマースのサービス技術と同様であるので省略する（ステップＳ０２１）。
【０１０８】
＜８−２．実店舗購入（店舗情報取得）＞
ステップＳ０２０で、「実店舗購入」するが選択された場合、ユーザ端末２０のアプリケーション部２２は、モバイル購入同様、ユーザより購入する服飾品の選択を受け付け、服飾品購入支援サーバ１００の店舗検索部１１３に選択された服飾品の服飾品ＩＤを送信する。
【０１０９】
ユーザ端末２０より服飾品ＩＤを受信した店舗検索部１１３は、服飾品データ記憶部２１１より、該当する服飾品の「店舗リスト」を取り出す。「店舗リスト」とは、当該服飾品を購入できる実店舗の店舗ＩＤリストを含んでいるものとする。
【０１１０】
次に、店舗検索部１１３は、取り出した「店舗リスト」に基づき、店舗情報管理部２１３から、各店舗の「住所」と「最寄り駅情報」を取り出し、ユーザ端末２０のアプリケーション部２２に対して送信する。
【０１１１】
ユーザ端末２０のアプリケーション部２２は、受信した各店舗の「住所」と「最寄り駅情報」を「住所リスト」として表示する。これにより、ユーザは、購入を希望する服飾品の販売店舗名と住所と最寄り駅情報を確認可能となる。
【０１１２】
更に必要な場合には、ユーザ端末２０のアプリケーション部２２より、服飾品購入支援サーバ１００の店舗検索部１１３に対し、「利用者の現在位置から近い」の店舗の絞込みの依頼をすることができる。
【０１１３】
「利用者の現在位置から近い」の店舗の絞込みの依頼を受けた店舗検索部１１３は、測位機能９１等を利用して、利用者の「現在位置座標」を入手するとともに、住所−座標変換サーバ８０に対し、各店舗の「住所」に対応する「座標」の算出依頼をする。
【０１１４】
次に、店舗検索部１１３は、距離算出部１１２に両座標間の距離を算出させ、距離が短い順番にソートした店舗一覧を送信する。同様の原理にて、「任意の駅からの近い店舗」の検索も行うことができる。
【０１１５】
更に、店舗検索部１１３からユーザ端末２０のアプリケーション部２２に対し、割り出した目標となる「座標情報」を送信させることで、ユーザ端末２０のナビゲーション機能（ナビゲーション部２３）による目的地までのナビゲーションも利用可能とすることができる（ステップＳ０２２）。
【０１１６】
以上、本発明の好適な実施形態を説明したが、本発明は、上記した各実施例に限定されるものではなく、本発明の基本的技術的思想を逸脱しない範囲で、更なる変形・置換・調整を加えることができる。例えば、第１の実施例と第２の実施例との中間的な実施形態も採用することができる。
【０１１７】
また例えば、上記した第２の実施例において、ユーザの操作量をより削減するために、前回ユーザによって選択された雑誌名やカラーコーディネート規則等を個人情報管理部２１０に保存し、次回以降当該ユーザがアクセスしてきた際に、初期値（デフォルト設定）として適用することもできる。この場合、ユーザは、図６のフローチャートのモード選択（ステップＳ００３）と、品目選択（ステップＳ０１０）とを行うだけで、コーディネート案の提示を受けることが可能となる。
【０１１８】
また例えば、上記した第２の実施例の「７．コーディネート処理（イメージ生成処理）」では、ユーザからイメージ生成処理の対象とする服飾品の選択を受け付けるものとして説明したが、服飾品購入支援サーバ１００のイメージ生成部１１５が抽出された服飾品データをランダムに選択して、「合成画像」（コーディネートイメージ）を作成するものとしてもよい。
【図面の簡単な説明】
【０１１９】
【図１】本発明の第１の実施例に係る服飾品購入支援システムを構成するサーバ（服飾品購入支援サーバ）の構成と、該サーバによるユーザ端末向けの服飾品購入支援サービスの概要を表した図である。
【図２】本発明の第１の実施例に係る服飾品購入支援システムの服飾品データ記憶部に記憶される服飾品の詳細データの一部を表した図である。
【図３】本発明の第１の実施例に係る服飾品購入支援システムの雑誌情報記憶部に記憶される雑誌−ファッション系統データの一部を表した図である。
【図４】本発明の第２の実施例に係る服飾品購入支援システムの全体構成を示した図である。
【図５】図４の服飾品購入支援システムに含まれる各装置の内部構成と各部の接続関係を示した図である。
【図６】本発明の第２の実施例に係る服飾品購入支援システムによって提供される一連のサービスの流れを表したフローチャートである。
【図７】本発明の第２の実施例に係る服飾品購入支援システムの服飾品データ記憶部に記憶される服飾品の詳細データの一部を表した図である。
【図８】本発明の第２の実施例に係る服飾品購入支援システムによって提供されるスケジューラモードにおける処理の流れを表したフローチャートである。
【図９】本発明の第２の実施例に係る服飾品購入支援システムの個人情報管理部に記憶されるスケジュールデータの一部を表した図である。
【図１０】本発明の第２の実施例に係る服飾品購入支援システムの雑誌情報記憶部に記憶される年代−ファッション系統データの一部を表した図である。
【図１１】本発明の第２の実施例に係る服飾品購入支援システムの雑誌情報記憶部に記憶される雑誌−ファッション系統データの一部を表した図である。
【図１２】本発明の第２の実施例に係る服飾品購入支援システムにおいて服飾品データ一時格納ＤＢに記憶される系統ＩＤによる抽出後の服飾品の詳細データの例である。
【図１３】本発明の第２の実施例に係る服飾品購入支援システムにおいて服飾品データ一時格納ＤＢに格納された服飾品データから抽出される「部位・分類リスト」の例である。
【図１４】本発明の第２の実施例に係る服飾品購入支援システムにおいて服飾品データ一時格納ＤＢに記憶される品目による抽出後の服飾品の詳細データの例である。
【図１５】本発明の第２の実施例に係る服飾品購入支援システムのコーディネートＤＢに記憶されるカラー−資質データの一例である。
【図１６】本発明の第２の実施例に係る服飾品購入支援システムにおいて「印象・感情資質」によるカラーコーディネートによりユーザに提示される服飾品の詳細データの例である。
【図１７】本発明の第２の実施例に係る服飾品購入支援システムのコーディネートＤＢに記憶される色相環効果データの一例である。
【図１８】本発明の第２の実施例に係る服飾品購入支援システムにおいて「色相環効果」によるカラーコーディネートによりユーザに提示される服飾品の詳細データの例である。
【符号の説明】
【０１２０】
１０  服飾品購入支援サーバ
１１、２１１  服飾品データ記憶部
１２、２１２  雑誌情報記憶部
１３  選択条件受付部
１４  コーディネート処理部
１５  イメージ生成部
２０  ユーザ端末
２１  インターフェース部（ＩＦ部）
２２  アプリケーション部
２３  ナビゲーション部
６０  ゲートウェイ
６１  インターフェース部（ＩＦ部）
７０  Ｗｅｂサーバ
７１  認証部
７２  インターフェース部（ＩＦ部）
７３  アプリケーション識別部
８０  住所−座標変換サーバ
８１  インターフェース部（ＩＦ部）
８２  地図情報管理部
９０  ＧＰＳ衛星
９１  測位機能
９２  インターフェース部（ＩＦ部）
９３  測位部
１００  服飾品購入支援サーバ
１０１  インターフェース部（ＩＦ部）
１１０  アプリケーション制御部
１１１  モバイルコマース制御部
１１２  距離算出部
１１３  店舗検索部
１１４  コーディネート処理部
１１５  イメージ生成部
１１６  スケジューラ制御部
２００  システムデータベース（システムＤＢ）
２０１  インターフェース部（ＩＦ部）
２１０  個人情報管理部
２１１  服飾品データ記憶部
２１２  雑誌情報記憶部
２１３  店舗情報管理部
２１４  路線情報管理部
２１５  コーディネートデータベース（コーディネートＤＢ）
２１６  印象・感情資質データベース（印象・感情資質ＤＢ）
２１７  カラーセレクトデータベース（カラーセレクトＤＢ）
２１８  服飾品データ一時格納データベース（服飾品データ一時格納ＤＢ）
３００  服飾品購入支援サービス基盤
４００  通信網
５００  インターネット
６００  代理店
【図１】
0005003334.tif 000002
【図２】
0005003334.tif 000003
【図３】
0005003334.tif 000004
【図４】
0005003334.tif 000005
【図５】
0005003334.tif 000006
【図６】
0005003334.tif 000007
【図７】
0005003334.tif 000008
【図８】
0005003334.tif 000009
【図９】
0005003334.tif 000010
【図１０】
0005003334.tif 000011
【図１１】
0005003334.tif 000012
【図１２】
0005003334.tif 000013
【図１３】
0005003334.tif 000014
【図１４】
0005003334.tif 000015
【図１５】
0005003334.tif 000016
【図１６】
0005003334.tif 000017
【図１７】
0005003334.tif 000018
【図１８】
0005003334.tif 000019